(57)【要約】      （修正有）【課題】コヒーレント光源を用いた投写型映像表示装置に係るスペックルノイズを減少させ、光の発散角が増大することによる光損失に関しても減少させる。【解決手段】光学ユニット（例えば、スペックルノイズ低減素子２０Ｒ）は、一対のレンズアレイ（入射側マイクロレンズアレイおよび出射側マイクロレンズアレイ）と、前記一対のレンズアレイを振動させる振動付与手段と、を備える。【選択図】図５
2011075651.tif 000002
【特許請求の範囲】
【請求項１】
一対のレンズアレイと、
前記一対のレンズアレイを周期運動させる振動付与手段と、
を備えることを特徴とする光学ユニット。
【請求項２】
請求項１記載の光学ユニットにおいて、
前記一対のレンズアレイは、
焦点距離ｆを有する第１のレンズアレイと焦点距離ｆ’を有する第２のレンズアレイとを有し、
前記焦点距離ｆと前記焦点距離ｆ’は、ｆ≦ｆ’を満たし、
前記第１のレンズアレイと前記第２のレンズアレイとの間に絶対屈折率nの媒質が間挿されるとき、前記第１のレンズアレイと前記第２のレンズアレイとは、（ｆ＋ｆ’）／ｎの間隔を設けて配されることを特徴とする光学ユニット。
【請求項３】
コヒーレント光源によって構成される光源ユニットと、
該光源ユニットから出射される光が通過するように周期運動する光学ユニットと、前記光源ユニットから出射される光を変調する光変調素子と、該光変調素子により変調された光を投写する投写ユニットと、を備える投写型映像表示装置において、
前記光学ユニットは、一対のレンズアレイを備えることを特徴とする投写型映像表示装置。
【請求項４】
請求項３記載の投写型映像表示装置において、
前記光学ユニットに入射する光の発散角がθであるとき、
前記一対のレンズアレイのうち少なくとも入射側に配置されるレンズアレイは、tanθ＜ｄ／４ｆの条件を満たすように、各レンズのレンズ直径ｄおよび焦点距離ｆが設定されることを特徴とする投写型映像表示装置。
【発明の詳細な説明】
【技術分野】
【０００１】
この発明は、コヒーレント光源を用いた投写型映像表示装置のスペックルノイズを低減させる手法に関する。
【背景技術】
【０００２】
近年、投写型映像表示装置は、使用される用途の拡大により、投写光量が大きい投写型映像表示装置を求めるユーザが増えてきている。従来の水銀ランプ等の光源では十分な光量を得られなくなっている。
【０００３】
そこでレーザ光源を複数個発光させ、その出射光を光ファイバ等で集め、バンドルさせることで投写型映像表示装置の光源として用いることが考えられてきている。
【０００４】
しかしながら、レーザ光源を用いた投写型映像表示装置において、レーザ光特有のコヒーレンシー（可干渉性）に起因してスペックルノイズが生じて画質が劣化するという問題がある。スペックルノイズは、レーザ光などのコヒーレント光がスクリーンなどの粗面の各点で散乱され、表面粗さによって生じる不規則な位相関係で干渉しあうことにより、不規則な粒状の強度分布として観測される現象である。
【０００５】
これらを解決するために、投写型映像表示装置の発散光路中に光拡散素子が設置されていると共に光拡散素子が光の進行方向と平行方向に振動することによりスペックルノイズを低減させる投写型映像表示装置の発明が特許文献１に開示されている。
【先行技術文献】
【特許文献】
【０００６】
【特許文献１】特開２００８−１３４２６９号公報
【発明の概要】
【発明が解決しようとする課題】
【０００７】
しかしながら、投写型映像表示装置の発散光路中に光拡散素子が設置されていると共に光拡散素子が光の進行方向と平行方向に振動するようにすると光の発散角が増大するため、投写レンズに取り込めない角度成分の光が損失となる。
【０００８】
また、この光損失が発生しないようにするためには、Ｆ値の小さい投写レンズが必要になるが十分な結像性能が得られるように設計するには難易度が上昇し、大型のレンズが必要とされるためコストも増大することになる。
【０００９】
そこでこの発明は、レーザ光源のようなコヒーレント光源を用いた投写型映像表示装置に係るスペックルノイズを減少させ、光の発散角が増大することによる光損失に関しても減少させることを目的とする。
【課題を解決するための手段】
【００１０】
本発明は上記課題を解決するためのものであって、第１の態様に係る光学ユニット（例えば、スペックルノイズ低減素子２０Ｒ）は、一対のレンズアレイ（入射側マイクロレンズアレイ３１０および出射側マイクロレンズアレイ３１２）と、前記一対のレンズアレイを振動させる振動付与手段と、を備えることを要旨とする。
ここで、振動とは、所定の範囲で周期的に変化する動きであればよく、直線的な動きのほか、回転、揺動などを含む。  この態様によれば、スペックルノイズを低減させることができ、しかも入射する光の発散角が増大することを抑制できる。
第１の態様において、前記一対のレンズアレイは、焦点距離ｆを有する第１のレンズアレイ（入射側マイクロレンズアレイ３１０）と焦点距離ｆ’を有する第２のレンズアレイと（出射側マイクロレンズアレイ３１２）を有し、前記第１のレンズアレイと前記第２のレンズアレイとの間に絶対屈折率nの媒質が間挿されるとき、前記第１のレンズアレイと前記第２のレンズアレイとは、（ｆ＋ｆ’）／ｎの間隔を設けて配されるとよい。
すなわち、第１のレンズアレイと第２のレンズアレイとが同じ焦点距離ｆであれば、２ｆ／ｎの間隔を有すればよく、第１のレンズアレイと第２のレンズアレイとの間が空気であれば、ｆ＋ｆ’の間隔を有すればよい。
また、第２の態様に係る投写型映像表示装置（投写型映像表示装置１００）は、コヒーレント光源によって構成される光源ユニット（光源ユニット１１０）と、該光源ユニットから出射される光の光軸に略直交する方向へ振動する光学ユニット（例えば、スペックルノイズ低減素子２０Ｒ）と、前記光源ユニットから出射される光を変調する光変調素子（例えば、ＤＭＤ５００Ｒ）と、該光変調素子により変調された光を投写する投写ユニット（投写ユニット１５０）と、を備えるものである。前記光学ユニットは、一対のレンズアレイ（入射側マイクロレンズアレイ３１０および出射側マイクロレンズアレイ３１２）を備えることを要旨とする。
第２の態様によれば、コヒーレント光源を用いた投写型映像表示装置に係るスペックルノイズを減少させ、光の発散角が増大することによる光損失を減少させることができる。  第２の態様において、前記光学ユニットに入射する光の発散角がθであるとき、前記一対のレンズアレイのうち少なくとも入射側に配置されるレンズアレイ（入射側マイクロレンズアレイ３１０）は、tanθ＜ｄ／４ｆの条件を満たすように、各レンズ（入射側マイクロレンズ３１１）のレンズ直径ｄおよび焦点距離ｆが設定されるとよい。
【発明の効果】
【００１１】
コヒーレント光源を用いた投写型映像表示装置に係るスペックルノイズを減少させ、光の発散角が増大することによる光損失を減少させることができる。
【図面の簡単な説明】
【００１２】
【図１】第１実施形態に係る投写型映像表示装置１００を示す斜視図である。
【図２】第１実施形態に係る投写型映像表示装置１００を側方から見た図である。
【図３】第１実施形態に係る投写型映像表示装置１００を上方から見た図である。
【図４】第１実施形態に係る光源ユニット１１０を示す図である。
【図５】第１実施形態に係る色分離合成ユニット１４０及び投写ユニット１５０を示す図である。
【図６】第１実施形態に係るスペックルノイズ低減素子の詳細図である。
【図７】第１実施形態に係るスペックルノイズ低減素子を通過する光の光路図である。
【図８】変更例１に係る色分離合成ユニット１４０及び投写ユニット１５０を示す図である。
【図９】第２実施形態に係る投写型映像表示装置１００を側方から見た図である。
【発明を実施するための形態】
【００１３】
［実施形態の概要］  実施形態に係る投写型映像表示装置は、コヒーレント光源によって構成される光源ユニットと、該光源ユニットの光軸に略直交するように振動、揺動、又は回転させることによりスペックルノイズを低減させるスペックルノイズ低減素子と、前記コヒーレント光源から出射される光を変調する光変調素子と、該光変調素子により変調された光を投写する投写ユニットを備える投写型映像表示装置であって、前記スペックルノイズ低減素子は、焦点距離ｆを有する第１のレンズアレイと焦点距離ｆ’を有する第２のレンズアレイとを有し、それぞれのレンズアレイに挟まれる媒質の間隔は絶対屈折率をｎとしたとき（ｆ＋ｆ’）／ｎであることを特徴とする。
【００１４】
スペックルノイズ低減素子の形状が焦点距離ｆを有する第１のレンズアレイと焦点距離ｆ‘を有する第２のレンズアレイを具備し、それぞれのレンズアレイに挟まれる媒質の間隔は絶対屈折率をｎとしたとき（ｆ＋ｆ’）／ｎである。本構成にすることでスペックルノイズ低減素子に入射する光の入射側発散角と出射する光の出射側発散角を同一にすることができる。従って、スペックルノイズ低減素子に入射前と出射後の光の発散角が増大させることがないため、投写レンズに取り込めない角度成分が発生しにくく、投写型映像表示装置の光損失を減少させることができる。
【００１５】
また照明光学系内に配置したスペックルノイズ低減素子を振動、揺動、又は回転させることで、スペックルノイズ低減素子から出射する各光線の位置及び位相が時間と共に変化する。これにより、スクリーン面における各点へ入射する各光線の角度及び位相が時間と共に変化するため、スペックルパターンが時間重畳され、視認されるスペックルノイズが低減される。
【００１６】
従って、コヒーレント光源を用いた投写型映像表示装置において、スペックルノイズを減少させ、光の発散角が増大することによる光損失を減少させることができる。
【００１７】
［第１実施形態］
（投写型映像表示装置の構成）
以下において、第１実施形態に係る投写型映像表示装置の構成について、図面を参照しながら説明する。図１は、第１実施形態に係る投写型映像表示装置１００を示す斜視図である。図２は、第１実施形態に係る投写型映像表示装置１００を側方から見た図である。
【００１８】
図１及び図２に示すように、投写型映像表示装置１００は、筐体２００を有しており、投写面３００に映像を投写する。投写型映像表示装置１００は、第１配置面（図２に示す壁面４２０）と第１配置面に略垂直な第２配置面（図２に示す床面４１０）とに沿って配置される。
【００１９】
ここで、第１実施形態では、投写型映像表示装置１００が壁面に設けられた投写面３００に映像光を投写するケースについて例示する（壁面投写）。このようなケースにおける筐体２００の配置を壁面投写配置と称する。第１実施形態では、投写面３００と略平行な第１配置面は壁面４２０である。
【００２０】
第１実施形態では、投写面３００に平行な水平方向を“幅方向”と称する。投写面３００の法線方向を“奥行き方向”と称する。幅方向及び奥行き方向の双方に直交する方向を“高さ方向”と称する。
【００２１】
筐体２００は、略直方体形状を有する。奥行き方向における筐体２００のサイズ及び高さ方向における筐体２００のサイズは、幅方向における筐体２００のサイズよりも小さい。奥行き方向における筐体２００のサイズは、反射ミラー（図２に示す凹面ミラー１５２）から投写面３００までの投写距離と略等しい。幅方向において、筐体２００のサイズは、投写面３００のサイズと略等しい。高さ方向において、筐体２００のサイズは、投写面３００が設けられる位置に応じて定められる。
【００２２】
具体的には、筐体２００は、投写面側側壁２１０と、前面側側壁２２０と、底面板２３０と、天板２４０と、第１側面側側壁２５０と、第２側面側側壁２６０とを有する。
【００２３】
投写面側側壁２１０は、投写面３００と略平行な第１配置面（第１実施形態では、壁面４２０）と対向する板状の部材である。前面側側壁２２０は、投写面側側壁２１０の反対側に設けられた板状の部材である。底面板２３０は、投写面３００と略平行な第１配置面と略垂直な第２配置面（第１実施形態では、床面４１０）に対向する板状の部材である。天板２４０は、底面板２３０の反対側に設けられた板状の部材である。第１側面側側壁２５０及び第２側面側側壁２６０は、幅方向において筐体２００の両端を形成する板状の部材である。
【００２４】
筐体２００は、光源ユニット１１０と、電源ユニット１２０と、冷却ユニット１３０と、色分離合成ユニット１４０と、投写ユニット１５０とを収容する。投写面側側壁２１０は、投写面側凹部１６０Ａ及び投写面側凹部１６０Ｂを有する。前面側側壁２２０は、前面側凸部１７０を有する。天板２４０は、天板凹部１８０を有する。第１側面側側壁２５０は、ケーブル端子１９０を有する。
【００２５】
光源ユニット１１０は、複数のコヒーレント光源（図４に示すコヒーレント光源１１１）によって構成されるユニットである。各コヒーレント光源は、ＬＤ（Ｌａｓｅｒ  Ｄｉｏｄｅ）などの光源である。第１実施形態では、光源ユニット１１０には、赤成分光Ｒを出射する赤コヒーレント光源（図４に示す赤コヒーレント光源１１１Ｒ）、緑成分光Ｇを出射する緑コヒーレント光源（図４に示す緑コヒーレント光源１１１Ｇ）、青成分光Ｂを出射する青コヒーレント光源（図４に示す青コヒーレント光源１１１Ｂ）を有する。光源ユニット１１０の詳細については後述する（図４を参照）。
【００２６】
電源ユニット１２０は、投写型映像表示装置１００に電力を供給するユニットである。例えば、電源ユニット１２０は、光源ユニット１１０及び冷却ユニット１３０に電力を供給する。
【００２７】
冷却ユニット１３０は、光源ユニット１１０に設けられた複数のコヒーレント光源を冷却するユニットである。具体的には、冷却ユニット１３０は、各コヒーレント光源を載置する冷却ジャケット（図４に示す冷却ジャケット１３１）を冷却することによって、各コヒーレント光源を冷却する。
【００２８】
なお、冷却ユニット１３０は、各コヒーレント光源以外にも、電源ユニット１２０や光変調素子（後述するＤＭＤ５００）を冷却するように構成されている。
【００２９】
色分離合成ユニット１４０は、赤コヒーレント光源から出射された赤成分光Ｒ、緑コヒーレント光源から出射された緑成分光Ｇ、青コヒーレント光源から出射された青成分光Ｂを合成する。また、色分離合成ユニット１４０は、赤成分光Ｒ、緑成分光Ｇ及び青成分光Ｂを含む合成光を分離して、赤成分光Ｒ、緑成分光Ｇ及び青成分光Ｂを変調する。さらに、色分離合成ユニット１４０は、赤成分光Ｒ、緑成分光Ｇ及び青成分光Ｂを再合成して、映像光を投写ユニット１５０に出射する。色分離合成ユニット１４０の詳細については後述する（図５を参照）。
【００３０】
投写ユニット１５０は、色分離合成ユニット１４０から出射された光（映像光）を投写面３００に投写する。具体的には、投写ユニット１５０は、色分離合成ユニット１４０から出射された光を投写面３００上に投写する投写レンズ群（図５に示す投写レンズ群１５１）と、投写レンズ群から出射された光を投写面３００側に反射する反射ミラー（図５に示す凹面ミラー１５２）とを有する。投写ユニット１５０の詳細については後述する。
【００３１】
投写面側凹部１６０Ａ及び投写面側凹部１６０Ｂは、投写面側側壁２１０に設けられており、筐体２００の内側に窪む形状を有する。投写面側凹部１６０Ａ及び投写面側凹部１６０Ｂは、筐体２００の端まで延びている。投写面側凹部１６０Ａ及び投写面側凹部１６０Ｂには、筐体２００の内側に連通する通気口が設けられる。
【００３２】
第１実施形態では、投写面側凹部１６０Ａ及び投写面側凹部１６０Ｂは、筐体２００の幅方向に沿って延びている。例えば、投写面側凹部１６０Ａには、筐体２００の外側の空気を筐体２００の内側に入れるための吸気口が通気口として設けられる。投写面側凹部１６０Ｂには、筐体２００の内側の空気を筐体２００の外側に出すための排気口が通気口として設けられる。
【００３３】
前面側凸部１７０は、前面側側壁２２０に設けられており、筐体２００の外側に張り出す形状を有する。前面側凸部１７０は、筐体２００の幅方向において、前面側側壁２２０の略中央に設けられる。筐体２００の内側において前面側凸部１７０によって形成される空間には、投写ユニット１５０に設けられた反射ミラー（図５に示す凹面ミラー１５２）が収容される。
【００３４】
天板凹部１８０は、天板２４０に設けられており、筐体２００の内側に窪む形状を有する。天板凹部１８０は、投写面３００側に向けて下る傾斜面１８１を有する。傾斜面１８１は、投写ユニット１５０から出射された光を投写面３００側に透過（投写）する透過領域を有する。
【００３５】
ケーブル端子１９０は、第１側面側側壁２５０に設けられており、電源端子や映像端子などの端子である。なお、ケーブル端子１９０は、第２側面側側壁２６０に設けられていてもよい。
【００３６】
（筐体の幅方向における各ユニットの配置）
以下において、第１実施形態に係る幅方向における各ユニットの配置について、図面を参照しながら説明する。図３は、第１実施形態に係る投写型映像表示装置１００を上方から見た図である。
【００３７】
図３に示すように、投写ユニット１５０は、投写面３００に平行な水平方向（筐体２００の幅方向）において、筐体２００の略中央に配置される。
【００３８】
光源ユニット１１０及び冷却ユニット１３０は、筐体２００の幅方向において、投写ユニット１５０と並んで配置される。具体的には、光源ユニット１１０は、筐体２００の幅方向において、投写ユニット１５０の一方（第２側面側側壁２６０側）に並んで配置される。冷却ユニット１３０は、筐体２００の幅方向において、投写ユニット１５０の他方（第１側面側側壁２５０側）に並んで配置される。
【００３９】
電源ユニット１２０は、筐体２００の幅方向において、投写ユニット１５０と並んで配置される。具体的には、電源ユニット１２０は、筐体２００の幅方向において、投写ユニット１５０に対して光源ユニット１１０側に並んで配置される。電源ユニット１２０は、投写ユニット１５０と光源ユニット１１０との間に配置されることが好ましい。
【００４０】
（光源ユニットの構成）
以下において、第１実施形態に係る光源ユニットの構成について、図面を参照しながら説明する。図４は、第１実施形態に係る光源ユニット１１０を示す図である。
【００４１】
図４に示すように、光源ユニット１１０は、複数の赤コヒーレント光源１１１Ｒ、複数の緑コヒーレント光源１１１Ｇ及び複数の青コヒーレント光源１１１Ｂによって構成される。
【００４２】
赤コヒーレント光源１１１Ｒは、上述したように、赤成分光Ｒを出射するＬＤなどの赤コヒーレント光源である。赤コヒーレント光源１１１Ｒは、ヘッド１１２Ｒを有しており、ヘッド１１２Ｒには、光ファイバ１１３Ｒが接続される。
【００４３】
各赤コヒーレント光源１１１Ｒのヘッド１１２Ｒに接続された光ファイバ１１３Ｒは、バンドル部１１４Ｒで束ねられる。すなわち、各赤コヒーレント光源１１１Ｒから出射された光は、各光ファイバ１１３Ｒによって伝達されて、バンドル部１１４Ｒに集められる。
【００４４】
赤コヒーレント光源１１１Ｒは、冷却ジャケット１３１Ｒに載置される。例えば、赤コヒーレント光源１１１Ｒは、ネジ止めなどによって冷却ジャケット１３１Ｒに固定される。従って、赤コヒーレント光源１１１Ｒは、冷却ジャケット１３１Ｒによって冷却される。
【００４５】
緑コヒーレント光源１１１Ｇは、上述したように、緑成分光Ｇを出射するＬＤなどの緑コヒーレント光源である。緑コヒーレント光源１１１Ｇは、ヘッド１１２Ｇを有しており、ヘッド１１２Ｇには、光ファイバ１１３Ｇが接続される。
【００４６】
各緑コヒーレント光源１１１Ｇのヘッド１１２Ｇに接続された光ファイバ１１３Ｇは、バンドル部１１４Ｇで束ねられる。すなわち、各緑コヒーレント光源１１１Ｇから出射された光は、各光ファイバ１１３Ｇによって伝達されて、バンドル部１１４Ｇに集められる。
【００４７】
緑コヒーレント光源１１１Ｇは、冷却ジャケット１３１Ｇに載置される。例えば、緑コヒーレント光源１１１Ｇは、ネジ止めなどによって冷却ジャケット１３１Ｇに固定される。従って、緑コヒーレント光源１１１Ｇは、冷却ジャケット１３１Ｇによって冷却される。
【００４８】
コヒーレント光源１１１Ｂは、上述したように、青成分光Ｂを出射するＬＤなどの青コヒーレント光源である。青コヒーレント光源１１１Ｂは、ヘッド１１２Ｂを有しており、ヘッド１１２Ｂには、光ファイバ１１３Ｂが接続される。
【００４９】
各青コヒーレント光源１１１Ｂのヘッド１１２Ｂに接続された光ファイバ１１３Ｂは、バンドル部１１４Ｂで束ねられる。すなわち、各青コヒーレント光源１１１Ｂから出射された光は、各光ファイバ１１３Ｂによって伝達されて、バンドル部１１４Ｂに集められる。
【００５０】
青コヒーレント光源１１１Ｂは、冷却ジャケット１３１Ｂに載置される。例えば、青コヒーレント光源１１１Ｂは、ネジ止めなどによって冷却ジャケット１３１Ｂに固定される。従って、青コヒーレント光源１１１Ｂは、冷却ジャケット１３１Ｂによって冷却される。
【００５１】
（色分離合成ユニット及び投写ユニットの構成）
以下において、第１実施形態に係る色分離合成ユニット及び投写ユニットの構成について、図面を参照しながら説明する。図５は、第１実施形態に係る色分離合成ユニット１４０及び投写ユニット１５０を示す図である。第１実施形態では、ＤＬＰ（Ｄｉｇｉｔａｌ  Ｌｉｇｈｔ  Ｐｒｏｃｅｓｓｉｎｇ）方式（登録商標）に対応する投写型映像表示装置１００を例示する。
【００５２】
図５に示すように、色分離合成ユニット１４０は、第１ユニット１４１と、第２ユニット１４２とを有する。
【００５３】
第１ユニット１４１は、赤成分光Ｒ、緑成分光Ｇ及び青成分光Ｂを合成して、赤成分光Ｒ、緑成分光Ｇ及び青成分光Ｂを含む合成光を第２ユニット１４２に出射する。
【００５４】
具体的には、第１ユニット１４１は、複数のロッドインテグレータ（ロッドインテグレータ１０Ｒ、ロッドインテグレータ１０Ｇ及びロッドインテグレータ１０Ｂ）と、レンズ群（レンズ２１Ｒ、レンズ２１Ｇ、レンズ２１Ｂ、レンズ２２、レンズ２３）と、ミラー群（ミラー３１、ミラー３２、ミラー３３、ミラー３４及びミラー３５）とを有する。
【００５５】
ロッドインテグレータ１０Ｒは、光入射面と、光出射面と、光入射面の外周から光出射面の外周に亘って設けられる光反射側面とを有する。ロッドインテグレータ１０Ｒは、バンドル部１１４Ｒで束ねられた光ファイバ１１３Ｒから出射される赤成分光Ｒを均一化する。すなわち、ロッドインテグレータ１０Ｒは、光反射側面で赤成分光Ｒを反射することによって、赤成分光Ｒを均一化する。
【００５６】
ロッドインテグレータ１０Ｇは、光入射面と、光出射面と、光入射面の外周から光出射面の外周に亘って設けられる光反射側面とを有する。ロッドインテグレータ１０Ｇは、バンドル部１１４Ｇで束ねられた光ファイバ１１３Ｇから出射される緑成分光Ｇを均一化する。すなわち、ロッドインテグレータ１０Ｇは、光反射側面で緑成分光Ｇを反射することによって、緑成分光Ｇを均一化する。
【００５７】
ロッドインテグレータ１０Ｂは、光入射面と、光出射面と、光入射面の外周から光出射面の外周に亘って設けられる光反射側面とを有する。ロッドインテグレータ１０Ｂは、バンドル部１１４Ｂで束ねられた光ファイバ１１３Ｂから出射される青成分光Ｂを均一化する。すなわち、ロッドインテグレータ１０Ｂは、光反射側面で青成分光Ｂを反射することによって、青成分光Ｂを均一化する。
【００５８】
なお、ロッドインテグレータ１０Ｒ、ロッドインテグレータ１０Ｇ及びロッドインテグレータ１０Ｂは、光反射側面がミラー面によって構成された中空ロッドであってもよい。また、ロッドインテグレータ１０Ｒ、ロッドインテグレータ１０Ｇ及びロッドインテグレータ１０Ｂは、ガラスなどによって構成された中実ロッドであってもよい。
【００５９】
スペックルノイズ低減素子２０Ｒは、光変調素子およびスクリーン面と略共役な面になるロッドインテグレータ１０Ｒの光出射面の直後に配され、ロッドインテグレータ１０Ｒからの赤成分光Ｒの光軸に対して垂直の方向に周期的に振動、揺動、又は回転している。ここで振動とは、光の光軸を中心として特定の一軸に対して往復運動を行うこと又は光の光軸に平行し往復運動を行うことを示し、揺動とは、光の光軸に対して垂直な面内を略円運動することを示し、回転とは、光の光軸に平行な特定の一軸を中心に回転運動を行うことを示すものとする。スペックルノイズ低減素子２０Ｒは、周期的に振動、揺動、又は回転させることにより、ロッドインテグレータ２０Ｒから出射した赤成分光Ｒがスペックルノイズ低減素子２０Ｒを通過し出射する際に各光線の出射位置および位相が時間に応じて変更することができる。
【００６０】
スペックルノイズ低減素子２０Ｇは、光変調素子およびスクリーン面の略共役な面になるロッドインテグレータ１０Ｇの光出射面の直後に配され、ロッドインテグレータ１０Ｇからの緑成分光Ｇの光軸に対して垂直の方向に周期的に振動、揺動、又は回転している。スペックルノイズ低減素子２０Ｇは、周期的に振動、揺動、又は回転させることにより、ロッドインテグレータ２０Ｇから出射した赤成分光Ｇがスペックルノイズ低減素子２０Ｇを通過し出射する際に各光線の出射位置および位相が時間に応じて変更することができる。
【００６１】
スペックルノイズ低減素子２０Ｂは、光変調素子およびスクリーン面の略共役な面になるロッドインテグレータ１０Ｂの光出射面の直後に配され、ロッドインテグレータ１０Ｂからの青成分光Ｂの光軸に対して垂直の方向に周期的に振動、揺動、又は回転させている。スペックルノイズ低減素子２０Ｂは、周期的に振動、揺動、又は回転させることにより、ロッドインテグレータ２０Ｂから出射した緑成分光Ｂがスペックルノイズ低減素子２０Ｂを出射した赤成分光Ｂがスペックルノイズ低減素子２０Ｂを通過し出射する際に各光線の出射位置および位相が時間に応じて変更することができる。
【００６２】
スペックルノイズは、レーザ光などのコヒーレント光がスクリーンなどの粗面の各点で散乱され、表面粗さによって生じる不規則な位相関係で干渉しあうことにより、不規則な粒状の強度分布として観測される現象である。照明光学系内に配置したスペックルノイズ低減素子を振動、揺動、又は回転させることで、スペックルノイズ低減素子から出射する各光線の位置及び位相が時間と共に変化する。これにより、スクリーン面における各点へ入射する各光線の角度及び位相が時間と共に変化するため、スペックルパターンが時間重畳され、視認されるスペックルノイズが低減される。
【００６３】
レンズ２１Ｒは、赤成分光ＲがＤＭＤ５００Ｒに照射されるように、赤成分光Ｒをリレーするリレーレンズである。レンズ２１Ｇは、緑成分光ＧがＤＭＤ５００Ｇに照射されるように、緑成分光Ｇをリレーするリレーレンズである。レンズ２１Ｂは、青成分光ＢがＤＭＤ５００Ｂに照射されるように、青成分光Ｂをリレーするリレーレンズである。
【００６４】
レンズ２２は、赤成分光Ｒ及び緑成分光Ｇの拡大を抑制しながら、ＤＭＤ５００Ｒ及びＤＭＤ５００Ｇ上に赤成分光Ｒ及び緑成分光Ｇを略結像するためのリレーレンズである。レンズ２３は、青成分光Ｂの拡大を抑制しながら、青成分光ＢをＤＭＤ５００Ｂに略結像するためのリレーレンズである。
【００６５】
ミラー３１は、ロッドインテグレータ１０Ｒから出射された赤成分光Ｒを反射する。ミラー３２は、ロッドインテグレータ１０Ｇから出射された緑成分光Ｇを反射して、赤成分光Ｒを透過するダイクロイックミラーである。ミラー３３は、ロッドインテグレータ１０Ｂから出射された青成分光Ｂを透過して、赤成分光Ｒ及び緑成分光Ｇを反射するダイクロイックミラーである。
【００６６】
ミラー３４は、赤成分光Ｒ、緑成分光Ｇ及び青成分光Ｂを反射する。ミラー３５は、赤成分光Ｒ、緑成分光Ｇ及び青成分光Ｂを第２ユニット１４２側に反射する。なお、図５では、説明を簡易にするために、各構成が平面図で示されているが、ミラー３５は、赤成分光Ｒ、緑成分光Ｇ及び青成分光Ｂを高さ方向において斜めに反射する。
【００６７】
第２ユニット１４２は、赤成分光Ｒ、緑成分光Ｇ及び青成分光Ｂを含む合成光を分離して、赤成分光Ｒ、緑成分光Ｇ及び青成分光Ｂを変調する。第２ユニット１４２は、続いて、赤成分光Ｒ、緑成分光Ｇ及び青成分光Ｂを再合成して、映像光を投写ユニット１５０側に出射する。
【００６８】
具体的には、第２ユニット１４２は、レンズ４０と、プリズム５０と、プリズム６０と、プリズム７０と、プリズム８０と、プリズム９０と、複数のＤＭＤ；Ｄｉｇｉｔａｌ  Ｍｉｃｒｏｍｉｒｒｏｒ  Ｄｅｖｉｃｅ（ＤＭＤ５００Ｒ、ＤＭＤ５００Ｇ及びＤＭＤ５００Ｂ）とを有する。
【００６９】
レンズ４０は、各色成分光が各ＤＭＤに照射されるように、第１ユニット１４１から出射された光をリレーするリレーレンズである。
【００７０】
プリズム５０は、透光性部材によって構成されており、面５１及び面５２を有する。プリズム５０（面５１）とプリズム６０（面６１）との間にはエアギャップが設けられており、第１ユニット１４１から出射される光が面５１に入射する角度（入射角）が全反射角よりも大きいため、第１ユニット１４１から出射される光は面５１で反射される。一方で、プリズム５０（面５２）とプリズム７０（面７１）との間にはエアギャップが設けられるが、第１ユニット１４１から出射される光が面５２に入射する角度（入射角）が全反射角よりも小さいため、面５１で反射された光は面５２を透過する。
【００７１】
プリズム６０は、透光性部材によって構成されており、面６１を有する。
【００７２】
プリズム７０は、透光性部材によって構成されており、面７１及び面７２を有する。プリズム５０（面５２）とプリズム７０（面７１）との間にはエアギャップが設けられており、面７２で反射された青成分光Ｂ及びＤＭＤ５００Ｂから出射された青成分光Ｂが面７１に入射する角度（入射角）が全反射角よりも大きいため、面７２で反射された青成分光Ｂ及びＤＭＤ５００Ｂから出射された青成分光Ｂは面７１で反射される。
【００７３】
面７２は、赤成分光Ｒ及び緑成分光Ｇを透過して、青成分光Ｂを反射するダイクロイックミラー面である。従って、面５１で反射された光のうち、赤成分光Ｒ及び緑成分光Ｇは面７２を透過し、青成分光Ｂは面７２で反射される。面７１で反射された青成分光Ｂは面７２で反射される。
【００７４】
プリズム８０は、透光性部材によって構成されており、面８１及び面８２を有する。プリズム７０（面７２）とプリズム８０（面８１）との間にはエアギャップが設けられており、面８１を透過して面８２で反射された赤成分光Ｒ及びＤＭＤ５００Ｒから出射された赤成分光Ｒが再び面８１に入射する角度（入射角）が全反射角よりも大きいため、面８１を透過して面８２で反射された赤成分光Ｒ及びＤＭＤ５００Ｒから出射された赤成分光Ｒは面８１で反射される。一方で、ＤＭＤ５００Ｒから出射されて面８１で反射された後に面８２で反射された赤成分光Ｒが再び面８１に入射する角度（入射角）が全反射角よりも小さいため、ＤＭＤ５００Ｒから出射されて面８１で反射された後に面８２で反射された赤成分光Ｒは面８１を透過する。
【００７５】
面８２は、緑成分光Ｇを透過して、赤成分光Ｒを反射するダイクロイックミラー面である。従って、面８１を透過した光のうち、緑成分光Ｇは面８２を透過し、赤成分光Ｒは面８２で反射される。面８１で反射された赤成分光Ｒは面８２で反射される。ＤＭＤ５００Ｇから出射された緑成分光Ｇは面８２を透過する。
【００７６】
ここで、プリズム７０は、赤成分光Ｒ及び緑成分光Ｇを含む合成光と青成分光Ｂとを面７２によって分離する。プリズム８０は、赤成分光Ｒと緑成分光Ｇとを面８２によって分離する。すなわち、プリズム７０及びプリズム８０は、各色成分光を分離する色分離素子として機能する。
【００７７】
なお、第１実施形態では、プリズム７０の面７２のカットオフ波長は、緑色に相当する波長帯と青色に相当する波長帯との間に設けられる。プリズム８０の面８２のカットオフ波長は、赤色に相当する波長帯と緑色に相当する波長帯との間に設けられる。
【００７８】
一方で、プリズム７０は、赤成分光Ｒ及び緑成分光Ｇを含む合成光と青成分光Ｂとを面７２によって合成する。プリズム８０は、赤成分光Ｒと緑成分光Ｇとを面８２によって合成する。すなわち、プリズム７０及びプリズム８０は、各色成分光を合成する色合成素子として機能する。
【００７９】
プリズム９０は、透光性部材によって構成されており、面９１を有する。面９１は、緑成分光Ｇを透過するように構成されている。なお、ＤＭＤ５００Ｇへ入射する緑成分光Ｇ及びＤＭＤ５００Ｇから出射された緑成分光Ｇは面９１を透過する。
【００８０】
ＤＭＤ５００Ｒ、ＤＭＤ５００Ｇ及びＤＭＤ５００Ｂは、複数の微少ミラーによって構成されており、複数の微少ミラーは可動式である。各微少ミラーは、基本的に１画素に相当する。ＤＭＤ５００Ｒは、各微少ミラーの角度を変更することによって、投写ユニット１５０側に赤成分光Ｒを反射するか否かを切り替える。同様に、ＤＭＤ５００Ｇ及びＤＭＤ５００Ｂは、各微少ミラーの角度を変更することによって、投写ユニット１５０側に緑成分光Ｇ及び青成分光Ｂを反射するか否かを切り替える。
【００８１】
投写ユニット１５０は、投写レンズ群１５１と、凹面ミラー１５２とを有する。
【００８２】
投写レンズ群１５１は、色分離合成ユニット１４０から出射された光（映像光）を凹面ミラー１５２側に出射する。
【００８３】
凹面ミラー１５２は、投写レンズ群１５１から出射された光（映像光）を反射する。凹面ミラー１５２は、映像光を集光した上で、映像光を広角化する。例えば、凹面ミラー１５２は、投写レンズ群１５１側に凹面を有する非球面ミラーである。
【００８４】
凹面ミラー１５２で集光された映像光は、天板２４０に設けられた天板凹部１８０の傾斜面１８１に設けられた透過領域を透過する。傾斜面１８１に設けられた透過領域は、凹面ミラー１５２によって映像光が集光される位置近傍に設けられることが好ましい。
【００８５】
凹面ミラー１５２は、上述したように、前面側凸部１７０によって形成される空間に収容される。例えば、凹面ミラー１５２は、前面側凸部１７０の内側に固定されることが好ましい。また、前面側凸部１７０の内側面の形状は、凹面ミラー１５２に沿った形状であることが好ましい。
【００８６】
（スペックルノイズ低減素子の基本構成）
図６は、スペックルノイズ低減素子２０Ｒ、スペックルノイズ低減素子２０Ｇ、及びスペックルノイズ低減素子２０Ｂを詳細に記載したものである。スペックルノイズ低減素子２０Ｒ、スペックルノイズ低減素子２０Ｇ、及びスペックルノイズ低減素子２０Ｂは、入射側マイクロレンズアレイ３１０、素子基板３２０、出射側マイクロレンズアレイ３１２、
及び図示しない振動付与手段を備える。
【００８７】
入射側マイクロレンズアレイ３１０は、スペックルノイズ低減素子２０Ｒ、スペックルノイズ低減素子２０Ｇ、及びスペックルノイズ低減素子２０Ｂの光の入射面側に無数に形成された半球状のマイクロレンズの集合体である。入射側マイクロレンズアレイ３１０の個々のレンズは、屈折率がｎ、焦点距離がｆのマイクロレンズである。
【００８８】
素子基板３２０は、入射側マイクロレンズアレイ３１０と出射側マイクロレンズアレイ３１２を紫外線硬化型の接着剤で固着している。素子基板３２０は、屈折率ｎ、厚み２ｆ／ｎの透明基板である。
【００８９】
出射側マイクロレンズアレイ３１２は、スペックルノイズ低減素子２０Ｒ、スペックルノイズ低減素子２０Ｇ、及びスペックルノイズ低減素子２０Ｂの光の出射面側に無数に形成された半球状のマイクロレンズの集合体である。出射側マイクロレンズアレイ３１２の個々のレンズは、屈折率がｎ、焦点距離がｆのマイクロレンズである。
【００９０】
尚、入射側マイクロレンズアレイ３１０、素子基板３２０、及び出射側マイクロレンズアレイ３１２を紫外線硬化型の接着剤で固着したがそれに限るものではなく、入射側マイクロレンズアレイ３１０、素子基板３２０、及び出射側マイクロレンズアレイ３１２を一体成型で形成しても良いものである。このようにすることにより、入射側マイクロレンズアレイ３１０、素子基板３２０、及び出射側マイクロレンズアレイ３１２を張り合わせる手間や光軸調整等の作業が不要となる。
【００９１】
次に図６を用いてスペックルノイズ低減素子２０Ｒ、スペックルノイズ低減素子２０Ｇ、及びスペックルノイズ低減素子２０Ｂを進む光の光路を説明する。ロッドインテグレータ１０Ｒ、ロッドインテグレータ１０Ｇ、及びロッドインテグレータ１０Ｂの出射端面から出射した光は、距離２ｆ離れた入射側マイクロレンズアレイ３１０に入射する。入射側マイクロレンズアレイ３１０に入射した光は、屈折し入射側マイクロレンズアレイ３１０と素子基板３２０の内部を通過する。尚、屈折は入射側マイクロレンズアレイ３１０の入射面でのみ発生し、屈折率が同じである入射側マイクロレンズアレイ３１０と素子基板３２０の境界面では屈折は発生しない。
【００９２】
素子基板３２０の厚みが２ｆ／ｎであるため、素子基板３２０の内部を通過した光は、素子基板３２０の出射側に固着されている出射側マイクロレンズアレイ３１２で結像する。
【００９３】
出射側マイクロレンズアレイ３１２の焦点距離がｆで入射側マイクロレンズアレイ３１０と同一であるため、入射側発散角θと出射側発散角ηは同一になる。
【００９４】
上述のように、入射側発散角θに対して出射側発散角ηが同一であるため、投写レンズ１５１に取り込めない角度の光が発生しにくく、投写映像に用いる光損失が発生しにくい。
【００９５】
次にスペックルノイズ低減素子２０Ｒ、スペックルノイズ低減素子２０Ｇ、及びスペックルノイズ低減素子２０Ｂを振動、揺動、又は回転させることで入射する光の光路長が時間と共に変化しスペックルノイズ低減素子から出射する光の出射位置および位相が時間と共に変化する現象を図７の（ａ）（ｂ）（ｃ）を用いて説明する。
【００９６】
図７の（ａ）は、入射側マイクロレンズアレイ３１０と出射側マイクロレンズアレイ３１２の一対のマイクロレンズに着目して示した図である。
【００９７】
ロッドインテグレータ１０Ｒ、ロッドインテグレータ１０Ｇ、及びロッドインテグレータ１０Ｂの出射端面から出射した光は、距離２ｆ離れた入射側マイクロレンズ３１１に入射する。入射側マイクロレンズ３１１に入射した光は、屈折し入射側マイクロレンズ３１１と素子基板３２０の内部を通過する。尚、屈折は入射側マイクロレンズ３１１の入射面でのみ発生し、屈折率が同じである入射側マイクロレンズ３１１と素子基板３２０の境界面では屈折は発生しない。
【００９８】
素子基板３２０の厚みが２ｆ／ｎであるため、素子基板３２０の内部を通過した光は、素子基板３２０の出射側に固着されている出射側マイクロレンズ３１３の中央で結像する。
【００９９】
図７の（ｂ）は、図７の（ａ）に対してスペックルノイズ低減素子２０Ｒ、スペックルノイズ低減素子２０Ｇ、及びスペックルノイズ低減素子２０Ｂが振動により上方に移動した際の光の光路を示した図である。
【０１００】
図７の（ｃ）は、図７の（ａ）に対してスペックルノイズ低減素子２０Ｒ、スペックルノイズ低減素子２０Ｇ、及びスペックルノイズ低減素子２０Ｂが振動により下方に移動した際の光の光路を示した図である。
【０１０１】
例えば、スペックルノイズ低減素子２０Ｒ、スペックルノイズ低減素子２０Ｇ、及びスペックルノイズ低減素子２０Ｂが上下に振動すると出射側マイクロレンズの出射光の出射する位置が図７の（ａ）（ｂ）（ｃ）では異なる。また、スペックルノイズ低減素子２０Ｒ、スペックルノイズ低減素子２０Ｇ、及びスペックルノイズ低減素子２０Ｂが上下に振動すると図７の（ａ）（ｂ）（ｃ）のそれぞれ異なった光路長を通った光が結像することになる。従って、出射側マイクロレンズから出射する光は、位相が異なった光としてスペックルノイズ低減素子２０Ｒ、スペックルノイズ低減素子２０Ｇ、及びスペックルノイズ低減素子２０Ｂから出射されることになる。
【０１０２】
このことにより、スクリーン面における各点へ入射する各光線の角度及び位相が時間と共に変化するため、スペックルパターンが時間重畳され、視認されるスペックルノイズが低減される。
【０１０３】
（スペックルノイズ低減素子の応用構成）
次に図６に戻り、スペックルノイズ低減素子２０Ｒ、スペックルノイズ低減素子２０Ｇ、及びスペックルノイズ低減素子２０Ｂのマイクロレンズに関して詳述する。スペックルノイズ低減素子２０Ｒ、スペックルノイズ低減素子２０Ｇ、及びスペックルノイズ低減素子２０Ｂは２ｆの距離から出射された光全てが入射側発散角θ以内であれば入射された光全てを出射側発散角η以内で出射することできる。すなわち、入射側マイクロレンズ３１１及び出射側マイクロレンズ３１３の直径をｄとすると以下の条件が成り立つときに入射側発散角θ、出射側発散角ηの関係がθ＝ηとなる。
【０１０４】
【数１】
2011075651.tif 000003
【０１０５】
【数２】
2011075651.tif 000004
【０１０６】
上記条件により、入射側マイクロレンズ３１１及び出射側マイクロレンズ３１３の直径を設計すれば、上記スペックルノイズ低減素子の基本構成のときよりも入射側発散角θに対して出射側発散角ηが同一となり、投写レンズに取り込めない角度の光が発生しにくく、投写映像に用いる光損失が発生しにくい。
【０１０７】
尚、上記実施形態では、入射側マイクロレンズアレイ３１０と出射側マイクロレンズアレイ３１２の間には素子基板３２０を配した構成としたがこの構成に限るものではなく、入射側マイクロレンズアレイ３１０と出射側マイクロレンズアレイ３１２を独立して配し、それぞれの距離を２ｆ離しても良いものとする。
【０１０８】
［変更例１］
以下において、第１実施形態の変更例１について、図面を参照しながら説明する。以下においては、第１実施形態との相違点について主として説明する。
【０１０９】
具体的には、第１実施形態では、光源ユニット１１０は、赤コヒーレント光源１１１Ｒ、緑コヒーレント光源１１１Ｇ及び青コヒーレント光源１１１Ｂを有しており、色分離合成ユニット１４０は、ロッドインテグレータ１０Ｒ、ロッドインテグレータ１０Ｇ及びロッドインテグレータ１０Ｂを有し、スクリーン面の略共役な面になるロッドインテグレータ１０Ｒ、ロッドインテグレータ１０Ｇ及びロッドインテグレータ１０Ｂの光出射面の直前にスペックルノイズ低減素子Ｒ２０、スペックルノイズ低減素子Ｇ２０、及びスペックルノイズ低減素子Ｂ２０を配した。
【０１１０】
これに対して、変更例１では、光源ユニット１１０は、白色のコヒーレント光源を有しており、色分離合成ユニット１４０には、単数のロッドインテグレータ１０Ｗを有し、スクリーン面の略共役な面になるロッドインテグレータ１０Ｗの光出射面の直前にスペックルノイズ低減素子Ｗ２０を配した。
【０１１１】
［変更例２］
以下において、第１実施形態の変更例１について、図面を参照しながら説明する。以下においては、第１実施形態との相違点について主として説明する。
【０１１２】
具体的には、第１実施形態では、入射側マイクロレンズアレイ３１０と出射側マイクロレンズアレイ３１２が同じ焦点距離ｆを有するものとして説明した。変形例２では、出射側マイクロレンズアレイ３１２の焦点距離が入射側マイクロレンズアレイ３１０の焦点距離ｆと異なる（焦点距離ｆ’となる）場合について説明する。
【０１１３】
入射側マイクロレンズアレイ３１０に入射した光は、屈折し入射側マイクロレンズアレイ３１０と素子基板３２０の内部を通過する。素子基板３２０の内部を通過した光は、出射側マイクロレンズアレイ３１２の焦点距離がｆ’であるため、素子基板３２０の厚みは（ｆ＋ｆ’）／ｎとすると、素子基板３２０の出射側に固着されている出射側マイクロレンズアレイ３１２で結像する。
【０１１４】
ここで焦点距離ｆ及び焦点距離ｆ’の関係は、ｆ≦ｆ’を満たす。このようにすることにより、入射側発散角θ及び出射側発散角ηの関係は、θ≧ηを満たす。従って、投写レンズ１５１に取り込めない角度の光が発生しにくく、投写映像に用いる光損失が発生しにくい。
【０１１５】
また、入射側マイクロレンズアレイ３１０がｎ個×ｍ個のマイクロレンズから構成される場合、出射側マイクロレンズアレイ３１２もｎ個×ｍ個のマイクロレンズから構成される必要がある。
【０１１６】
（色分離合成ユニット及び投写ユニットの構成）
以下において、変更例１に係る色分離合成ユニット及び投写ユニットの構成について、図面を参照しながら説明する。図７は、変更例１に係る色分離合成ユニット１４０及び投写ユニット１５０を示す図である。図７では、図５と同様の構成について同様の符号を付している。
【０１１７】
図７に示すように、スペックルノイズ低減素子Ｒ２０、スペックルノイズ低減素子Ｇ２０、及びスペックルノイズ低減素子Ｂ２０に代えて、スペックル低減素子Ｗ２０を有する。また、色分離合成ユニット１４０は、ロッドインテグレータ１０Ｒ、ロッドインテグレータ１０Ｇ及びロッドインテグレータ１０Ｂに代えて、ロッドインテグレータ１０Ｗを有する。また、色分離合成ユニット１４０は、レンズ２１Ｒ、レンズ２１Ｇ及びレンズ２１Ｂに代えて、レンズ２１Ｗを有する。
【０１１８】
ロッドインテグレータ１０Ｗには、バンドル部１１４Ｗから白色光が入射する。ここで、バンドル部１１４Ｗから白色光が出射されることに留意すべきである。
【０１１９】
例えば、バンドル部１１４Ｗは、光源（ＬＤなど）から出射される白色光を伝達する光ファイバを束ねてもよい。このようなケースでは、複数のコヒーレント光源として、白色光を出射する複数のコヒーレント光源が設けられる。
【０１２０】
また、バンドル部１１４Ｗは、光ファイバ１１３Ｒ、光ファイバ１１３Ｇ及び光ファイバ１１３Ｂを束ねてもよい。このようなケースでは、第１実施形態と同様に、複数のコヒーレント光源として、赤コヒーレント光源１１１Ｒ、緑コヒーレント光源１１１Ｇ及び青コヒーレント光源１１１Ｂが設けられる。
【０１２１】
レンズ２１Ｗは、白色光が各ＤＭＤ５００に照射されるように、白色光をリレーするリレーレンズである。
【０１２２】
［第２実施形態］
以下において、第２実施形態について、図面を参照しながら説明する。以下においては、第１実施形態との相違点について主として説明する。
【０１２３】
具体的には、第１実施形態では、投写型映像表示装置１００が壁面に設けられた投写面３００に映像光を投写するケースについて例示した。これに対して、第２実施形態では、投写型映像表示装置１００が床面に設けられた投写面３００に映像光を投写するケースについて例示する（床面投写）。このようなケースにおける筐体２００の配置を床面投写配置と称する。
【０１２４】
（投写型映像表示装置の構成）
以下において、第２実施形態に係る投写型映像表示装置の構成について、図面を参照しながら説明する。図８は、第２実施形態に係る投写型映像表示装置１００を側方から見た図である。
【０１２５】
図８に示すように、投写型映像表示装置１００は、床面に設けられた投写面３００に映像光を投写する（床面投写）。第２実施形態では、投写面３００と略平行な第１配置面は床面４１０である。第１配置面に略垂直な第２配置面は壁面４２０である。
【０１２６】
第２実施形態では、投写面３００に平行な水平方向を“幅方向”と称する。投写面３００の法線方向を“高さ方向”と称する。幅方向及び高さ方向の双方に直交する方向を“奥行き方向”と称する。
【０１２７】
第２実施形態では、筐体２００は、第１実施形態と同様に、略直方体形状を有する。奥行き方向における筐体２００のサイズ及び高さ方向における筐体２００のサイズは、幅方向における筐体２００のサイズよりも小さい。高さ方向における筐体２００のサイズは、反射ミラー（図２に示す凹面ミラー１５２）から投写面３００までの投写距離と略等しい。幅方向において、筐体２００のサイズは、投写面３００のサイズと略等しい。奥行き方向において、筐体２００のサイズは、壁面４２０から投写面３００までの距離に応じて定められる。
【０１２８】
投写面側側壁２１０は、投写面３００と略平行な第１配置面（第２実施形態では、床面４１０）と対向する板状の部材である。前面側側壁２２０は、投写面側側壁２１０の反対側に設けられた板状の部材である。天板２４０は、底面板２３０の反対側に設けられた板状の部材である。底面板２３０は、投写面３００と略平行な第１配置面以外の第２配置面（第２実施形態では、壁面４２０）と対向する板状の部材である。第１側面側側壁２５０及び第２側面側側壁２６０は、幅方向において筐体２００の両端を形成する板状の部材である。尚、第２実施形態では、赤コヒーレント光源、緑コヒーレント光源、及び青コヒーレント光源を用いても白コヒーレント光源を用いても良いものとする。
【０１２９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１３０】
第１実施形態では、筐体２００が配置される壁面４２０上に投写面３００が設けられるが、実施形態はこれに限定されるものではない。投写面３００は、筐体２００から離れる方向において、壁面４２０よりも奥まった位置に設けられてもよい。
【０１３１】
第２実施形態では、筐体２００が配置される床面４１０上に投写面３００が設けられるが、実施形態はこれに限定されるものではない。投写面３００は、床面４１０よりも低い位置に設けられてもよい。
【０１３２】
実施形態では、光変調素子として、ＤＭＤ（Ｄｉｇｉｔａｌ  Ｍｉｃｒｏｍｉｒｒｏｒ  Ｄｅｖｉｃｅ）を例示したに過ぎない。光変調素子は、透過型の液晶パネルであってもよく、反射型の液晶パネルであってもよい。
【０１３３】
実施形態では、光変調素子として、複数のＤＭＤが設けられているが、光変調素子として、単数のＤＭＤが設けられていてもよい。
【符号の説明】
【０１３４】
２０Ｒ、２０Ｇ、２０Ｂ  スペックルノイズ低減素子（光学ユニット）
１００  投写型映像表示装置
１１０  光源ユニット
１１２Ｒ、１１２Ｇ、１１２Ｂ  コヒーレント光源
１５０  投写ユニット
３１０、３１２  レンズアレイ
３１１、３１３  マイクロレンズ
５００Ｒ、５００Ｇ、５００Ｂ  光変調素子
【図１】
2011075651.tif 000005
【図２】
2011075651.tif 000006
【図３】
2011075651.tif 000007
【図４】
2011075651.tif 000008
【図５】
2011075651.tif 000009
【図６】
2011075651.tif 000010
【図７】
2011075651.tif 000011
【図８】
2011075651.tif 000012
【図９】
2011075651.tif 000013